(57)【要約】【課題】ＰＣａ柱部材のピース数を少なくしながら、そのＰＣａ柱部材を短い作業時間で能率良く設置することができる建物の建築方法を提供する。【解決手段】建物外周側１が鉄筋コンクリート造で構成され、建物内部側２が鉄骨造で構成される建物の建築方法であって、鉄骨製のＳ柱部材２１Ａを建物内部側２に設置した後、そのＳ柱部材２１Ａに鉄骨製のＳ梁部材２３Ａを介して接続しながら、複数階層分を１節とするプレキャストコンクリート製のＰＣａ柱部材１１Ａを建物外周側２に設置する。【選択図】図２
2020204204.tif 000002
【特許請求の範囲】
【請求項１】
建物外周側が鉄筋コンクリート造で構成され、建物内部側が鉄骨造で構成される建物の建築方法であって、
鉄骨製のＳ柱部材を前記建物内部側に設置した後、そのＳ柱部材に鉄骨製のＳ梁部材を介して接続しながら、複数階層分を１節とするプレキャストコンクリート製のＰＣａ柱部材を前記建物外周側に設置する建物の建築方法。
【請求項２】
前記Ｓ柱部材の１節の階層数が、前記ＰＣａ柱部材の複数節分の階層数に構成される請求項１記載の建物の建築方法。
【請求項３】
前記建物外周側の外周梁が、プレキャストコンクリート製のＰＣａ梁部材にて構成され、
前記ＰＣａ柱部材における上下中間階層の柱梁仕口部では、前記ＰＣａ柱部材の中間部の側面部と前記ＰＣａ梁部材の端部とが接合され、
前記ＰＣａ柱部材における上端階層の柱梁仕口部では、前記ＰＣａ梁部材の中間部の下面部と前記ＰＣａ柱部材の上端部とが接合される請求項１又は２に記載の建物の建築方法。
【発明の詳細な説明】
【技術分野】
【０００１】
本発明は、建物外周側が鉄筋コンクリート造で構成され、建物内部側が鉄骨造で構成される建物の建築方法に関する。
【背景技術】
【０００２】
特許文献１には、建物外周側が鉄筋コンクリート造で構成される建物の建築方法において、複数層分を１節とするプレキャストコンクリート製のＰＣａ柱部材を建物外周側に設置する点が開示されている。
【先行技術文献】
【特許文献】
【０００３】
【特許文献１】特許３１２０１０５号公報
【発明の概要】
【発明が解決しようとする課題】
【０００４】
特許文献１の技術では、複数層分を１節とすることでＰＣａ柱部材のピース数を少なくして建方時の作業工数を削減できるものの、建方中に長くて重いＰＣａ柱部材の姿勢を安定させるのが難しく、そのため、作業工数から想定される時間以上に作業時間を要するという問題がある。
【０００５】
この実情に鑑み、本発明の主たる課題は、ＰＣａ柱部材のピース数を少なくしながら、そのＰＣａ柱部材を短い作業時間で能率良く設置することができる建物の建築方法を提供する点にある。
【課題を解決するための手段】
【０００６】
本発明の第１特徴構成は、建物外周側が鉄筋コンクリート造で構成され、建物内部側が鉄骨造で構成される建物の建築方法であって、
鉄骨製のＳ柱部材を前記建物内部側に設置した後、そのＳ柱部材に鉄骨製のＳ梁部材を介して接続しながら、複数階層分を１節とするプレキャストコンクリート製のＰＣａ柱部材を前記建物外周側に設置する点にある。
【０００７】
本構成によれば、建物を、建物外周側が鉄筋コンクリート造で建物内部側が鉄骨造で構成されるものとし、更に、その建築方法において、Ｓ柱部材を建物内部側に先行して設置した後、そのＳ柱部材に鉄骨製のＳ梁部材を介して接続しながら、複数階層分を１節（１本）とするＰＣａ柱部材を建物外周側に設置する。そのため、建物内部側のＳ柱部材を支持部材として活用して複数階層分を１節とするＰＣａ柱部材の姿勢を安定させる形態でＰＣａ柱部材を設置することができる。よって、ＰＣａ柱部材のピース数を少なくしながら、そのＰＣａ柱部材を短い作業時間で能率良く設置することができる。
【０００８】
本発明の第２特徴構成は、前記Ｓ柱部材の１節の階層数が、前記ＰＣａ柱部材の複数節分の階層数に構成される点にある。
【０００９】
本構成によれば、先行で設置されるがＳ柱部材の１節の階層数が、後行で設置されるＰＣａ柱部材の複数節分の階層数であるので、１節（１本）のＳ柱部材の設置に対して複数節（複数本）のＰＣａ柱部材を設置する形態で作業の能率化を図ることができる。
【００１０】
本発明の第３特徴構成は、前記建物外周側の外周梁が、プレキャストコンクリート製のＰＣａ梁部材にて構成され、
前記ＰＣａ柱部材における上下中間階層の柱梁仕口部では、前記ＰＣａ柱部材の中間部の側面部と前記ＰＣａ梁部材の端部とが接合され、
前記ＰＣａ柱部材における上端階層の柱梁仕口部では、前記ＰＣａ梁部材の中間部の下面部と前記ＰＣａ柱部材の上端部とが接合される点にある。
【００１１】
本構成によれば、ＰＣａ柱部材における上下中間階層の柱梁仕口部では、ＰＣａ柱部材の中間部の側面部とＰＣａ梁部材の端部とを接合して所謂柱通し方式にて接合し、ＰＣａ柱部材における上端階層の柱梁仕口部では、ＰＣａ梁部材の中間部の下面部とＰＣａ柱部材の上端部とを接合して所謂梁通し方式にて接合することができる。よって、複数階層分を１節とするプレキャストコンクリート製のＰＣａ柱部材を有する建物外周側の柱梁架構を効率良く構築することができる。
【図面の簡単な説明】
【００１２】
【図１】建物の要部の縦断面図
【図２】建物の建築方法を模式的に示す図
【図３】建物の建築方法を模式的に示す図
【図４】建物の建築方法を模式的に示す図
【図５】建物の建築方法を模式的に示す図
【発明を実施するための形態】
【００１３】
本発明の建物の建築方法の実施形態を図面に基づいて説明する。
図１は、本建築方法にて建築される建物Ｂの要部の縦断面を模式的に示している。図２〜図５は、本建築方法の各工程を示す図で、（ａ）では、建物外周側１と建物内部側２とを含む領域を側面視で模式的に示し、（ｂ）では、建物外周側１のみを正面視で模式的に表している。なお、各図において、鉄筋コンクリート造の部分をグレーで表している。
【００１４】
図１に示すように、この建物Ｂは、実線で示した上方側部分において、建物外周側１が鉄筋コンクリート造で構成され、建物内部側２が鉄骨造で構成される。
建物外周側１は、鉄筋コンクリート製の外周柱１１と、隣接する外周柱１１どうしを接続する鉄筋コンクリート製の外周梁１２とを備えて構成される。
建物内部側２は、鉄骨製の内部柱２１と、隣接する内部柱２１どうしを接続する鉄骨製の第１の内部梁２２と、内部柱２１と外周柱１１とを接続する鉄骨製の第２の内部梁２３とを備えて構成される。
【００１５】
図５（ａ）、図５（ｂ）に示すように、外周柱１１は、２階層分（複数階層分の一例）を１節とするプレキャストコンクリート製のＰＣａ柱部材１１Ａにて構成される。
外周梁１２は、プレキャストコンクリート製の第１のＰＣａ梁部材１２Ａ，第２のＰＣａ梁部材１２Ｂにて構成される。
【００１６】
内部柱２１は、４階層分（複数階層分の一例）を１節とする鉄骨製のＳ柱部材２１Ａにて構成される。本実施形態では、Ｓ柱部材２１Ａの１節の階層数は、ＰＣａ柱部材１１Ａの２節分（複数節分の一例）の階層数に構成される。
第１の内部梁２２は、鉄骨製の第１のＳ梁部材２２Ａにて構成され、第２の内部梁２３は、鉄骨製の第２のＳ梁部材２３Ａにて構成される。
【００１７】
そして、このように構成される建物Ｂの上方側部分を建築するにあたり、本建築方法では、作業の能率化を図るべく、４階層分を１節とするＳ柱部材２１Ａを建物内部側２に設置した後、２階層分を１節とするＰＣａ柱部材１１Ａを、第２のＳ梁部材２３Ａを介してＳ柱部材２１Ａに接続しながら建物外周側１に設置する。
【００１８】
以下、図２〜図５を参照して本建築方法の各工程について説明を加える。なお、詳細な説明は割愛するが、鉄骨製のＳ部材２１Ａ，２２Ａ，２３Ａどうしの具体的な接合方法は、ボルト接合や溶接等の公知の各種の方法が用いられ、ＰＣａ部材１１Ａ，１２Ａ，１２Ｂどうしの具体的な接合方法は、鉄筋を亘らせて周囲にグラウトやコンクリート等を充填する等の公知の各種の方法が用いられる。
【００１９】
まず、図２（ａ）に示すように、建物内部側２において、４階層分を１節とする鉄骨製のＳ柱部材２１Ａを設置するとともに、第１のＳ梁部材２２Ａを設置して複数本のＳ柱部材２１Ａどうしを接続する。図示例では、第１階層Ｋ１及び第２階層Ｋ２の下側２層において第１のＳ梁部材２２Ａを設置し、複数本のＳ柱部材２１Ａの下側２階層部分どうしを第１のＳ梁部材２２Ａにて接続している。
【００２０】
そして、図２（ａ）、図２（ｂ）に示すように、建物外周側１において、２階層分を１節とするＰＣａ柱部材１１Ａを設置するとともに、図３（ａ）に示すように、第１階層Ｋ１において第２のＳ梁部材２３Ａを設置してＰＣａ柱部材１１ＡをＳ柱部材２１Ａに接続する。つまり、ＰＣａ柱部材１１Ａを、第２のＳ梁部材２３Ａを介してＳ柱部材２１Ａに接続しながら建物外周側１に設置する。
【００２１】
このとき、ＰＣａ柱部材１１Ａの中間部（長さ方向の中間部）には、第２のＳ梁部材２３Ａを接続するための鉄骨製のブラケットｂが埋設固定されている。そのため、第２のＳ梁部材２３Ａは、それの一端部をＳ柱部材２１Ａに接合し、それの他端部をＰＣａ柱部材１１Ａのブラケットｂに接合する形態で設置される。
【００２２】
また、図３（ａ）、図３（ｂ）に示すように、第１階層Ｋ１において第１のＰＣａ梁部材１２Ａを設置し、隣接するＰＣａ柱部材１１Ａの中間部どうしを接続する。
第１のＰＣａ梁部材１２Ａは、隣接する外周柱１１の間の１スパン分の外周梁１２を構成する部材として構成される。そのため、ＰＣａ柱部材１１Ａの第１階層Ｋ１（上下中間階層の一例）の柱梁仕口部では、ＰＣａ柱部材１１Ａの中間部の側面部と第１のＰＣａ梁部材１２Ａの端部とを接合する所謂柱通し方式で、ＰＣａ柱部材１１Ａと第１のＰＣａ梁部材１２Ａとが接合される。
【００２３】
次いで、図４（ａ）、図４（ｂ）に示すように、第２階層Ｋ２において第２のＰＣａ梁部材１２Ｂを設置し、隣接するＰＣａ柱部材１１Ａの上端部どうしを接続する。更に、第２階層Ｋ２において第２のＳ梁部材２３Ａを設置してＰＣａ柱部材１１ＡをＳ柱部材２１Ａに接続する。
【００２４】
第２のＰＣａ梁部材１２Ｂは、隣接する外周柱１１の間の１スパン分の外周梁１２と、隣接する一対（複数の一例）の外周柱１１の両外側の外周梁１２の一部（長さ方向の約半分）とを含む梁部材として構成される。そのため、ＰＣａ柱部材１１Ａの第２階層Ｋ２（上端階層の一例）の柱梁仕口部では、第２のＰＣａ梁部材１２Ｂの中間部の下面部とＰＣａ柱部材１１Ａの上端部とを接合する所謂梁通し方式で、ＰＣａ柱部材１１Ａと第２のＰＣａ梁部材１２Ｂとが接合される。
【００２５】
本実施形態では、第２のＰＣａ梁部材１２Ｂにおける外周柱１１に対応する部位は、ＰＣａ柱部材１１Ａと同じ断面で構成され、且つ、外周梁１２の梁下から少し下方に延長する形態で構成される。また、この第２のＰＣａ梁部材１２Ｂにおける外周柱１１に対応する部位には、第２のＳ梁部材２３Ａを接続するための鉄骨製のブラケットｂが埋設固定されている。そのため、第２階層Ｋ２の第２のＳ梁部材２３Ａは、それの一端部をＳ柱部材２１Ａに接合し、それの他端部を第２のＰＣａ梁部材１２Ｂのブラケットｂに接合する形態で設置される。
【００２６】
その後、図５（ａ）、図５（ｂ）に示すように、第３階層Ｋ３及び第４階層Ｋ４の上側２層において、下側２層と同様の手順で、第１のＳ梁部材２２Ａ、２階層分を１節とするＰＣａ柱部材１１Ａ、第２のＳ梁部材２３Ａ、第１のＰＣａ梁部材１２Ａ、第２のＰＣａ梁部材１２Ｂを夫々設置し、建物Ｂの第１階層Ｋ１から第４階層Ｋ４までの４階層単位の構築作業を完了する。
その後、この４階層単位の構築作業を、上方に向かって順次繰り返して建物Ｂの最上階層まで構築する。
【００２７】
このように、本建築方法では、建物内部側２のＳ柱部材２１Ａを支持部材として活用して複数階層分を１節とするＰＣａ柱部材１１Ａの姿勢を安定させる形態でＰＣａ柱部材１１Ａを設置することができる。よって、ＰＣａ柱部材１１Ａのピース数を少なくしながら、そのＰＣａ柱部材１１Ａを短い作業時間で能率良く設置することができる。
しかも、先行で設置されるがＳ柱部材２１Ａの１節の階層数が、後行で設置されるＰＣａ柱部材１１Ａの複数節分の階層数であるので、１節（１本）のＳ柱部材２１Ａの設置に対して複数節（複数本）のＰＣａ柱部材１１Ａを設置する形態で作業の能率化を図ることができる。
【００２８】
〔別実施形態〕
本発明の他の実施形態について説明する。尚、以下に説明する各実施形態の構成は、それぞれ単独で適用することに限らず、他の実施形態の構成と組み合わせて適用することも可能である。
【００２９】
（１）上記実施形態では、プレキャストコンクリート製のＰＣａ柱部材１１Ａが、２階層分を１節として構成される場合を例に示したが、３階層分以上を１節として構成されてもよい。また、鉄骨製のＳ柱部材２１Ａが。４階層分を１節として構成される場合を例に示したが、２階層分や３階層分、５階層分以上を１節として構成されてもよい。
【００３０】
（２）上記実施形態では、Ｓ柱部材２１Ａの１節の階層数が、ＰＣａ柱部材１１Ａの２節分の階層数に構成される場合を例に示したが、ＰＣａ柱部材１１Ａの３節分以上の階層数に構成されたり、ＰＣａ柱部材１１Ａの１節分の階層数に構成されてもよい。
【符号の説明】
【００３１】
Ｂ          建物
１          建物外周側
２          建物内部側
１１Ａ      部材
１１Ａ      ＰＣａ柱部材
１２        外周梁
１２Ａ      第１のＰＣａ梁部材
１２Ｂ      第２のＰＣａ梁部材
２１Ａ      Ｓ柱部材
２２Ａ      第１のＳ梁部材
２３Ａ      第２のＳ梁部材
【図１】
2020204204.tif 000003
【図２】
2020204204.tif 000004
【図３】
2020204204.tif 000005
【図４】
2020204204.tif 000006
【図５】
2020204204.tif 000007